(57)【要約】【課題】  ヘッドホンのコードを傷付けることなく、容易に装脱着することができるヘッドホン用装飾具を提供する。【解決手段】  装飾面の裏側に設置された狭持体をヘッドホンのコード２に狭持させることによって、ヘッドホンのコード２に容易に装脱着可能な、ヘッドホン用装飾具１を提供することができる。【選択図】  図２
0003141560.tif 000002
【実用新案登録請求の範囲】
【請求項１】
互いに対面する第１の狭持片および第２の狭持片が屈曲した連結部の両端からそれぞれ延出して断面略コの字形状に一体に形成された樹脂製の狭持体と、
前記第２の狭持片に連設され、装飾が施されている板状の装飾体とを備える
ことを特徴とするヘッドホン用装飾具。
【請求項２】
前記第１の狭持片の端部には、鋭角を有する楔型の操作突起が前記略コの字形状の外側に向けて突設され、
前記第２の狭持片の端部には、前記略コの字形状の内側に向けて突出した係止突起が設けられ、
前記連結部の両端の間隔が、前記第１の狭持片の端部と前記第２の狭持片の端部との間隔より大きい
ことを特徴とする請求項１に記載のヘッドホン用装飾具。
【請求項３】
前記狭持体がＰＰ樹脂からなり、
前記装飾体がＰＶＣ樹脂からなる
ことを特徴とする請求項２に記載のヘッドホン用装飾具。
【請求項４】
短円柱形の基台が前記第２の狭持片から延設され、
前記装飾体は前記基台を受容する凹欠部を有し、
前記基台が前記凹欠部に嵌挿されてなる
ことを特徴とする請求項３に記載のヘッドホン用装飾具。
【考案の詳細な説明】
【技術分野】
【０００１】
本考案はヘッドホン用装飾具、特にヘッドホンのコードやネックストラップに装着する装飾具に関する。
【背景技術】
【０００２】
近年、携帯電話や携帯型音楽プレーヤーが普及し、ヘッドホンなどを用いて外出先でも音楽を聞くということが広く行われている。このときヘッドホンのコードは使用者の体の前面を通る場合が多いため、そのままでは無味乾燥なコードの外観に装飾を施して個性的にしたいという要望が高まっている。さらに、流行や季節、使用者のその時の気分等によって、使用者は装飾を自由に変更したいという願望を持っている。
【０００３】
一方、従来の装飾具として、サンダルや衣服を装飾するための装飾ボタンが知られている（図４参照）。この装飾具は伸縮性を有する有孔の服飾品に装着可能であるが、孔を有さない服飾品に対して装着することはできず、ヘッドホンのコードを装飾する用途に用いることはできないという問題があった。また、ばねにより付勢されたクリップが装飾部の裏側に設けられているような装飾具を、ヘッドホンのコードに装着すると、ヘッドホンのコードを傷つけ、さらには断線を引き起こすおそれがあった。
【０００４】
【特許文献１】ＷＯ２００７／００８６５５
【考案の開示】
【考案が解決しようとする課題】
【０００５】
そこで、使用者の気分に応じて自由に着脱でき、かつ被装着物たるヘッドホンのコードを傷つけることのない、個性的なデコレーションを可能とする装飾具が求められていた。
【課題を解決するための手段】
【０００６】
本考案は、前記課題を解決するためになされたもので、請求項１に記載の考案は、互いに対面する第１の狭持片および第２の狭持片が屈曲した連結部の両端からそれぞれ延出して断面略コの字形状に一体に形成された樹脂製の狭持体と、前記第２の狭持片に連設され、装飾が施されている板状の装飾体とを備えることを特徴とするヘッドホン用装飾具である。
【０００７】
請求項１に記載の考案によれば、ヘッドホンのコードに何ら手を加えることなく、コードの任意の位置に装着することが可能であり、さらにコードを傷つけるおそれのない、軽量なヘッドホン用装飾具を提供することができる。
【０００８】
請求項２に記載の考案は、前記第１の狭持片の端部には、鋭角を有する楔型の操作突起が前記略コの字形状の外側に向けて突設され、前記第２の狭持片の端部には、前記略コの字形状の内側に向けて突出した係止突起が設けられ、前記連結部の両端の間隔が、前記第１の狭持片の端部と前記第２の狭持片の端部との間隔より大きいことを特徴とする請求項１に記載のヘッドホン用装飾具である。
【０００９】
請求項２に記載の考案によれば、使用者が容易に着脱することが可能であり、またヘッドホンのコードを傷つけることなく、任意の位置に装着することが可能なヘッドホン用装飾具を提供することができる。
【００１０】
請求項３に記載の考案は、前記狭持体がＰＰ樹脂からなり、前記装飾体がＰＶＣ樹脂からなることを特徴とする請求項２に記載のヘッドホン用装飾具である。
【００１１】
請求項３に記載の考案によれば、ヘッドホンのコードへの装脱着が繰り返される狭持体は耐久性を有し、外部に露出される装飾体は耐候性を有するため、長寿命のヘッドホン用装飾具を提供することができる。
【００１２】
請求項４に記載の考案は、短円柱形の基台が前記第２の狭持片から延設され、前記装飾体は前記基台を受容する凹欠部を有し、前記基台が前記凹欠部に嵌挿されてなることを特徴とする請求項３に記載のヘッドホン用装飾具である。
【００１３】
請求項４に記載の考案によれば、ヘッドホンのコードに装着させたまま、装飾部分のみを交換することができるヘッドホン用装飾具を提供することができる。
【考案の効果】
【００１４】
本考案によれば、ヘッドホンのコードに何ら手を加えることなく、コードの任意の位置に装着することが可能であり、さらにコードを傷つけるおそれのない軽量なヘッドホン用装飾具を提供することができる。
【考案を実施するための最良の形態】
【００１５】
つぎに、この考案の実施の形態について図面に基づき説明する。なお、以下に述べる実施の形態は、本考案の好適な実施の形態であるから、技術的に好ましい種々の限定が付されているが、本考案の範囲は、以下の説明において特に本考案を限定する旨の記載がない限り、これらの態様に限られるものではない。
【００１６】
本考案に係るヘッドホン用装飾具を図１〜３に示す。図１はヘッドホン用装飾具を示す斜視図であり、図２はヘッドホン用装飾具をヘッドホンのコードに装着した場合の正面図であり、図３は図２における断面Ａ−Ａにおける断面図である。１はヘッドホン用装飾具であり、２はヘッドホンのコードである。
【００１７】
ヘッドホン用装飾具１はヘッドホンのコード２を狭持する樹脂製の狭持体１１と、装飾が施されている板状の装飾体１３とを備えている。狭持体１１は屈曲した連結部１１１と、連結部１１１の両端から延出した第１の狭持片１１２および第２の狭持片１１３とを有し、断面略コの字形状に一体に形成されている。第１の狭持片１１２の端部には、略コの字形状の外側に向けて鋭角が突出した楔型の操作突起１１４が設けられ、また第２の端部には略コの字形状の内側に向けて突出した係止突起１１５が設けられている。また、第２の狭持片１１３からは略コの字形状の外側に向けて単円柱形の基台１２が延設されている。狭持体１１と基台１２とは一体で形成されていてもよいが、別体を接着して製作することも可能である。
【００１８】
装飾体１３には中央に基台１２を受容する凹欠部１３２が設けられており、基台１２が凹欠部１３２に嵌挿され、ヘッドホン用装飾具１が形成されている。凹欠部１３２の反対側の面には装飾が施された装飾面１３１が設けられており、ヘッドホンのコード２に装着されたときに、装飾面１３１が外側に露出される。なお、基台１２を介することなく狭持体１１と装飾体１３とを、接着するなどして直接連結することも可能である。
【００１９】
狭持体１１、基台１２および装飾体１３の材質としてはＰＰ、ＰＶＣ、ＡＢＳ樹脂などが好適である。工作が容易でありかつ耐久性が高いためである。また、これらの樹脂を使用することによって軽量になり、ヘッドホン使用時に使用者の耳にかかる負担を軽減することができる。
【００２０】
次にヘッドホン用装飾具１をヘッドホンのコード２に装着する手順を記す。使用者は、ヘッドホン用装飾具１の第１の狭持片１１２を引き上げて、第１の狭持片１１２と第２の狭持片１１３との間を離間させて、その間にヘッドホンのコード２を挿入する。このとき第１の狭持片１１２の端部に操作突起１１４が設けられているため指を掛けやすく、使用者は容易に第１の狭持片１１２を引き上げることができる。また、操作突起１１４は鋭角部が露出しているため、使用者は大きな力を加えることなく第１の狭持片１１２を引き上げることができる。狭持体１１は弾性変形を繰り返すが、この材料をＰＰ樹脂とすると、弾性変形を繰り返しても亀裂が入りにくいため、耐久性の高いヘッドホン用装飾具１を実現することができるという点で好適である。
【００２１】
ヘッドホンのコード２を第１の狭持片１１２と第２の狭持片１１３との間に挿入した後、第１の狭持片１１２から指を離すと、狭持体１１の弾発力により、ヘッドホンのコード２が狭持され、ヘッドホン用装飾具１がヘッドホンのコード２に装着される。このとき、第２の狭持片１１３には係止突起１１５が備えられ、第１の狭持片１１２と第２の狭持片１１３との間隔が部分的に狭くなっているため、ヘッドホン用装飾具１がヘッドホンのコード２から容易に外れることがない。また、連結部の１１１の両端の間隔が、第１の狭持片１１２の端部と前記第２の狭持片１１３の端部との間隔より大きいため、ヘッドホンのコード２は連結部１１１のうち屈曲した内面に接触するように収容されつつ、作用する弾発力も過大とならないため、ヘッドホンのコード２が傷つくおそれが少ない。さらに、狭持体１１は樹脂で形成されているため摩擦が大きく、装着した位置からずれるおそれが少ない。
【００２２】
装飾が施された装飾面１３１は狭持体１１の反対側にあるため、ヘッドホンのコード２に装着されているとき、装飾面１３１を前面に向け露出することができる。装飾面１３１を有する装飾体１３の材料をＰＶＣ樹脂とすると、ＰＶＣ樹脂は耐候性が高いため、より長期間装飾を楽しむことができるという点で好適である。
【００２３】
装飾面１３１を有する装飾体１３が、狭持体１１と別体に形成され、狭持体１１に連設する基台１２が、装飾体１３に設けられた凹欠部１３１に嵌挿されることによって、ヘッドホン用装飾具１が形成されていると、使用者は装飾体１３のみを交換して装飾を変更することができる。また、狭持体１１およびそれに連設された基台１２を、軸部を有する軸体に換装し、さらにこの軸部を収容する留め具をセットで用いて、前記軸部を服飾品の孔に通したあと軸部に留め具を装着することによって、服飾品を装飾するための装飾ボタンとして使用することも可能となる。これによって、ヘッドホンに施した装飾と同じ装飾をヘッドホンのコード以外の服飾品にも適用することができる。
【００２４】
また、本考案に係るヘッドホン用装飾具はヘッドホンのコードのみならず、ネックストラップや携帯電話のストラップ、衣服のファスナー部等にも装着が可能である。
【図面の簡単な説明】
【００２５】
【図１】本考案に係るヘッドホン用装飾具を示す斜視図である。
【図２】本考案に係るヘッドホン用装飾具をヘッドホンのコードに装着した状態を示す正面図である。
【図３】図２における断面Ａ−Ａを示す断面図である。
【図４】従来の装飾具を示す断面図である。
【符号の説明】
【００２６】
１  ヘッドホン用装飾具
１１  狭持体
１１１  連結部
１１２  第１の狭持片
１１３  第２の狭持片
１１４  操作突起
１１５  係止突起
１２  基台
１３  装飾体
１３１  装飾面
１３２  凹欠部
２  ヘッドホンのコード
３  従来の装飾具
【図１】
0003141560.tif 000003
【図２】
0003141560.tif 000004
【図３】
0003141560.tif 000005
【図４】
0003141560.tif 000006